(57)【要約】【課題】本発明に係るマッサージ機は、施療子が稼動するとともに椅子の座部や脚載置台が回動することによって、効果的な筋膜マッサージを行うことができるマッサージ機を提供する。【解決手段】背凭れ部と座部と脚載置台と肘掛部とからなる椅子と、椅子に装着されるマッサージを行う施療子と、椅子を回転移動させる駆動手段と、を備えたマッサージ機において、前記駆動手段により、脚が屈折位から伸展位まで移動するように前記脚載置台がマッサージ施療子の稼動時に前記座部の先端を中心に垂直位置から水平位置まで略０°から９０°の間で回転移動する構造である。【選択図】  図１
2008142103.tif 000002
【特許請求の範囲】
【請求項１】
背凭れ部と座部と脚載置台と肘掛部とからなる椅子と、椅子に装着されるマッサージを行う施療子と、椅子を回転移動させる駆動手段と、を備えたマッサージ機において、前記駆動手段により、脚が屈曲位から伸展位まで移動するように前記脚載置台がマッサージ施療子の稼動時に前記座部の先端を中心に垂直位置から水平位置まで略０°から９０°の間で回転移動することを特徴とするマッサージ機
【請求項２】
前記座部は、前記脚載置台の回転移動と連動して先端が上下に動くとともに、前記脚載置台の先端が最下位のとき前記座部の先端が上向きに、前記脚載置台の先端が最上位のとき前記座部が床に水平となるように回転移動することを特徴とする請求項１記載のマッサージ機
【請求項３】
前記施療子は、座部の後方に装備される第一施療子と、肘掛部の内側に装備される第二施療子とからなることを特徴とする請求項１または２記載マッサージ機
【請求項４】
前記マッサージ機は、第一施療子の稼動とともに前記脚載置台が屈曲位から伸展位まで移動を開始し、その後、前記脚載置台が伸展位から屈曲位まで戻ると前記期第一施療子の稼動が停止するマッサージパターンＡと、マッサージパターンＡの終了後に、前記第二施療子が稼動を開始するとともに前記脚載置台が屈曲位から伸展位まで移動し、その後、前記脚載置台が伸展位から屈曲位まで戻ると前記第二施療子の稼動が停止するマッサージパターンＢとを交互に繰り返すことを特徴とする請求項３記載のマッサージ機
【請求項５】
前記施療子は、押圧、もむ、叩く、振動、圧迫の動作を１つ以上含むことを特徴とする請求項１乃至４記載のマッサージ機
【請求項６】
前記マッサージ機は、身体を温める温熱手段を装備したことを特徴とする請求項１乃至５記載のマッサージ機
【発明の詳細な説明】
【技術分野】
【０００１】
本発明は、背凭れ部と座部と脚載置台とを有する椅子にマッサージ用の施療子を設けたマッサージ機に関し、特に施療子に連動して椅子の座部と脚載置台が作動するマッサージ機に関する。
【背景技術】
【０００２】
臀筋群は動物の二足歩行にはなくてはならない重要な筋肉群である。しかし、生活の中での疲労で臀筋群は硬くなり易く、臀筋が硬縮し、筋肉を覆う臀筋膜が癒着や変形などすることによって、こりや痛み、しびれなどとなって現れる。臀筋への体性感覚機能は、他の筋肉と比べると、特に鈍感であるため、筋肉疲労や筋膜の癒着に関しても治療を要するような深刻な状態になるまで特に気が付かないことが多い。
筋肉を覆う筋膜には、皮下筋膜と深在筋膜の二つがある。皮下筋膜は皮下組織の直下にあり、深在筋膜は皮下筋膜の直下および深部に存在し、各筋肉を包み込んで筋肉と筋肉がスムーズに動くための役割を果たすものである。
【０００３】
この筋膜に対するアプローチとして、筋膜マッサージが注目されている。筋膜マッサージとは、ロルファー（治療師）により皮下筋膜に対する働きかけを行う事を主体とするロルフィングと、ヨーガ、東洋医学を研究した結果として確立された治療方法である。筋膜マッサージは深在筋膜へのマッサージ（押圧等）によるアプローチを主体としている。例えば、筋肉の起始部と停止部を押圧施術することにより、関節の可動範囲が大きくなり、個々の筋肉の伸び縮みがスムーズに行われることになる。
【０００４】
筋膜マッサージの施術方法としては、手や肘等を使って、患者の患部に関連する解すべき筋膜の箇所を圧迫しつつ、その筋膜が動かす部位を直接的に外部からの力によって動かす。筋膜自体に圧力を加えるだけでは不十分であり、筋膜がよりスムーズに動くためには動かすことは大変重要な事である事が実証的に証明されている。これにより、癒着している筋膜が解れて正常な状態となる。
【０００５】
従来より筋肉へのマッサージを行うマッサージ機は存在している。これらのマッサージ機は、筋肉の緊張を解す効果はあっても、筋肉とは異なる筋膜の癒着や変形を解消することは出来なかった。筋肉と異なる筋膜を対象としたマッサージ機は存在していなかった。そこで、簡単で効果的に筋膜マッサージを行えるマッサージ機の開発が待たれていた。
【０００６】
【特許文献１】特開平１１−２９９５６５号
【非特許文献１】磯崎  文雄  著  「自分で肌を若返らせる！  米国式筋膜マッサージ」  平成１６年７月２０日発行
【発明の開示】
【発明が解決しようとする課題】
【０００７】
上記問題を解決するため、本発明に係るマッサージ機は、施療子が稼動するとともに椅子の座部や脚載置台が回動することによって、効果的な筋膜マッサージを行うことができるマッサージ機を提供する事を目的としている。
【課題を解決するための手段】
【０００８】
本発明に係るマッサージ機は、背凭れ部と座部と脚載置台と肘掛部とからなる椅子と、椅子に装着されるマッサージを行う施療子と、椅子を回転移動させる駆動手段と、を備えたマッサージ機において、前記駆動手段により、脚が屈曲位から伸展位まで移動するように前記脚載置台がマッサージ施療子の稼動時に前記座部の先端を中心に垂直位置から水平位置まで略０°から９０°の間で回転移動する構造である。また、前記座部は、前記脚載置台の回転移動と連動して先端が上下に動くとともに、前記脚載置台の先端が最下位のとき前記座部の先端が上向きに、前記脚載置台の先端が最上位のとき前記座部が床に水平となるように回転移動する構造でもある。さらに、前記施療子は、座部の後方（背凭れ部の下端）に装備される第一施療子と、肘掛部の内側に装備される第二施療子とからなる構造である。
【０００９】
また、前記マッサージ機は、第一施療子の稼動とともに前記脚載置台が屈曲位から伸展位まで移動を開始し、その後、前記脚載置台が伸展位から屈曲位まで戻ると前記第一施療子の稼動が停止するマッサージパターンＡと、マッサージパターンＡの終了後に、前記第二施療子が稼動を開始するとともに前記脚載置台が屈曲位から伸展位まで移動し、その後、前記脚載置台が伸展位から屈曲位まで戻ると前記第二施療子の稼動が停止するマッサージパターンＢとを交互に繰り返す構造である。
【００１０】
また、前記施療子は、押圧、もむ、叩く、振動、圧迫の動作を１つ以上含む構造である。さらに、前記マッサージ機は、身体を温める温熱手段を装備した構造でもある。
【発明の効果】
【００１１】
以上詳述した通り、本発明に係るマッサージ機は、
１．脚載置部が回転移動することで、施療子によるマッサージだけではなく、臀筋群を動かすことができ、筋肉だけではなく、筋膜へ効果的なマッサージを行うことができる。マッサージパターンＡとマッサージパターンＢを交互に作動させるのでマッサージ効果が大きい。
２．施療子が大臀筋・中臀筋・回旋筋・小臀筋の位置にあるので癒着、変形しやすい臀筋群の筋膜を解すのに最適である。
３．施療子と連動して脚載置部が回転移動するため、臀筋群の表層部にある大臀筋および中臀筋と、深部にある回旋筋および小臀筋とを刺激することができる。また動作を繰り返すことにより硬縮している筋膜を弛め、マッサージの効果を持続させることができる。
４．座部も回転移動することで臀筋群の張りや弛みが大きくなり、効果を上げることができる。
５．施療子のマッサージ刺激の種類が選択でき、疲労度合や症状に合わせて適切な筋膜マッサージを行うことができる。
６．マッサージと同時に身体を温めることで、より癒着や変形をほぐしやすくすることができ、効果を上げることができる。
【発明を実施するための最良の形態】
【００１２】
以下に、本発明に係るマッサージ機を図面に示す実施例により説明する。第１図は本発明のマッサージ機の構造図であり、第２図は本発明のマッサージ機の屈曲位の側面図であり、第３図は本発明のマッサージ機の伸展位の側面図であり、第４図は本発明のマッサージ機の正面図である。
第１図に示すように、本発明のマッサージ機１０は、椅子２０と、施療子３２・３４とを備えた構造である。また、椅子２０には、脚載置台２６、座部２４および施療子を駆動する駆動手段が設けられている。
なお、以下の説明において、後部、前部、下部、上部、右側、左側等とした方向に関する記載は、それぞれ椅子２０の後述の背凭れ部２２が設けられている側を後部、背凭れ部２２が設けられている側の反対側を前部、床に置かれる側を下部、この下部の上方を上部、後述の座部２４に使用者が座った状態で使用者の右側および左側をそれぞれ右側および左側というものとする。
【００１３】
椅子２０は、背凭れ部２２と、座部２４と、脚載置台２６および肘掛部２８とからなり、施療子は、大臀筋部位を刺激する第一施療子３２と、中臀筋部位を刺激する第二施療子３４とを有している。
【００１４】
第一施療子３２は座部２４の内部に設けられている。第一施療子３２は振動子（バイブレータ）からなり、使用者が椅子２０に座ったとき臀部にある大臀筋および回旋筋に作用する位置にくるように座部２４の後部または背凭れ部２２の下部に設けられており、振動により施療する構造である。椅子の中央から左右対称に対になるように設けると、臀部の左右にある大臀筋および回旋筋に効果的に作用することができる。回旋筋には梨状筋・上双子筋・下双子筋・内閉鎖筋・外閉鎖筋・大腿方形筋が含まれており、以下これらをまとめて回旋筋とする。座部２４と背凭れ部２２が一体となっている構造の椅子の場合、座部２４と背凭れ部２２の境界付近に第一施療子３２を設ける構造としてもよい。
また、第一施療子３２は、使用者の大臀筋の位置に合わせて移動することが可能である。位置合わせは駆動手段によって自動で行うことができ、座部２４の前方および後方、背凭れ部２２の上方および下方、また、それぞれ左側および右側へも移動することが可能で、適切な位置に合わせた後マッサージを開始することができる。
【００１５】
第二施療子３４は肘掛部２８の内側に設けられている。第二施療子３４は振動子（バイブレータ）からなり、中臀筋および小臀筋を刺激する施療子である。第４図に示すように、第二施療子３４は椅子の左右両側にある肘掛部２８の背凭れ部側下部に装備されており、振動により施療する構造である。肘掛部２８は幅を調節できる構造とすることができる。幅の調節によって、中臀筋を挟むように第二施療子２４を配置させることができる。
【００１６】
第一施療子３２および第二施療子３４の材質は、特に限定されないが、合成ゴムや天然ゴム等の弾力性のある材質が好ましい。椅子２０の内部に設けられ、椅子２０のカバーに覆われる構造である。
また、第一施療子３２および第二施療子３４は施療側に凸起を複数設けた断面山型または平面に形成されている。さらに、施療側面を凹面を有した波状面として複数の凸起を設けた形状とすることも可能である。施療子の施療面を臀筋群に合わせた面形状とし、複数の凸起を設けることで、適切に筋膜を刺激することができる。
【００１７】
脚載置台２６は、駆動手段により、脚載置台２６の先端２７が最下位となる脚の屈曲位から、先端２７が最上位となる伸展位まで回転移動する構成である。屈曲位から伸展位までは略９０°となっており、屈曲位から伸展位までの略０°から９０°の間を移動することが可能である。
【００１８】
また、座部２４も回転移動することが可能である。さらに、座部２４と脚載置台２６は、連動して作動することが可能である。連動動作では、脚載置台２６の先端２７が最下位のときに、座部２４の先端２５が上方に向き、脚載置台２６の先端２７が最上位のときに、座部の先端２５が下方に移動するように動く。脚載置台２６が伸展位になったときに、座部２４と脚載置台２６が床に略水平となる。連動させることで、股関節も動かされ、臀筋群も張りや弛みが大きくなり、施療時の効果が高くなる。
【００１９】
駆動手段は実施例では図示していないが、椅子２０の内部または椅子周辺の外部に設けられる。駆動手段は複数設けて、座部２４、脚載置台２６、第一施療子３２および第二施療子３４を独立して作動させる構造とすることができ、また、座部２４および脚載置台２４を駆動させる椅子の駆動手段と、第一施療子３２および第二施療子３４とを駆動させる駆動手段とを設ける等、関連する作動箇所を連動させた駆動手段を設けることもできる。さらに、全ての稼動部分を制御し駆動させる１つの駆動手段として構成することも可能である。
【００２０】
次に、筋膜マッサージ時の本発明のマッサージ機の動作を詳説する。
第１図に示すように椅子２０の脚載置台２６の先端２７が下方にある状態（以下屈曲位という）を初期位置とする。駆動手段によってマッサージが始動すると、まず、第一施療子３２が刺激を始める。第一施療子による刺激は、もむ、叩く、振動の中の１つを選択することが可能である。
一定の時間刺激を与えた後、第一施療子３２による刺激を与えたまま、脚載置部２６が屈曲位から伸展位までゆっくり回転移動を開始する。第２図で示すように、このとき座部２４の先端２５も下方に回転移動する。
【００２１】
第３図に示すように脚載置台２６が伸展位まで移動すると、座部２４と脚載置台２６が床面に水平な状態となる。この位置で使用者の膝が伸びた状態となる。脚載置台２６が伸展位まで移動すると移動が一定時間その状態に停まる。このとき第一施療子３２は刺激を与え続けている。
一定の時間刺激を与えた後、第一施療子３２による刺激を与えたまま、脚載置台２６が伸展位から屈曲位までゆっくり戻りながら回転移動する。このとき、座部２４の先端２５が上向きになるように上方に回転移動する。
脚載置台２６が第２図に示されている屈曲位まで戻ると、第一施療子３２による刺激が停止する。この第一施療子３２の始動から停止までをマッサージパターンＡとする。
【００２２】
第一施療子３２の刺激が停止すると、駆動手段により、第二施療子３４の刺激が始動する。第一施療子および第二施療子による刺激は、もむ、叩く、振動、圧迫の中の１つを選択することが可能である。
一定の時間刺激を与えた後、第二施療子３４による刺激を与えたまま、脚載置部２６が屈曲位から伸展位までゆっくり回転移動する。このとき、座部２４の先端２５も下方に回転移動する。
【００２３】
脚載置台２６が第３図に示す伸展位まで移動すると、座部２４と脚載置台２６が床面に略水平な状態となる。この位置で使用者の膝が伸びた状態となる。脚載置台２６が伸展位まで移動すると移動が一定時間その状態に停まる。このとき第二施療子３４は刺激を与続けている。
一定の時間刺激を与えた後、第二施療子３４による刺激を与えたまま、脚載置台２６が伸展位から屈曲位までゆっくり回転移動する。このとき、座部２４の先端２５も上向きになるように上方に回転移動する。
脚載置台２６が屈曲位まで戻ると、第二施療子３４による刺激が停止する。この第二施療子３４の始動から停止までをマッサージパターンＢとする。
【００２４】
第二施療子３４の刺激が停止すると、第一施療子３２の刺激が始動し、再びマッサージパターンＡが始まる。マッサージパターンＡとマッサージパターンＢを交互に繰り返すことにより、筋膜が総合的にマッサージされる構造である。第一施療子３２は大臀筋および回旋筋の筋肉と筋膜をマッサージする。また、第二施療子３４は中臀筋および小臀筋の筋肉と筋膜をマッサージする。また、それぞれ、屈曲位では臀筋群の深部にある回旋筋または小臀筋、伸展位では臀筋群の表層部にある大臀筋または中臀筋に作用する。これにより、マッサージの必要な筋膜に良い刺激を与えることができる。
【００２５】
施療子による刺激は、もむ、叩く、振動、圧迫のうち、少なくともいずれか一つを含むものとする。複数または全ての刺激機能を備えたマッサージ機としてもよい。また図示していないが、椅子２０の内部に温熱手段を装備させ、施療子による刺激とともに身体を温めることも可能である。
【００２６】
また、座部２４と脚載置部２６は連動動作する構造としているが、脚載置部２６だけを回転移動する構造とすることも可能である。座部と背凭れ部が一体となった構造の椅子では、脚載置部２６のみを回転移動させることもできる。また、背凭れ部２２を前後に回転移動が可能な構造とすることもできる。
【００２７】
従来のマッサージは、皮下筋膜と筋肉を押圧するだけで、深在筋膜へのアプローチはないが、本発明のマッサージ機は、大臀筋・中臀筋・小臀筋・回旋筋に作用する構造となっており、刺激を与えながら臀筋群を動かすことにより大臀筋・中臀筋・小臀筋・回旋筋の筋膜と筋肉を効果的にマッサージすることができ、筋膜の癒着をほぐすことができる。
【図面の簡単な説明】
【００２８】
【図１】本発明のマッサージ機の構造図
【図２】本発明のマッサージ機の屈曲位の側面図
【図３】本発明のマッサージ機の伸展位の側面図
【図４】本発明のマッサージ機の正面図
【符号の説明】
【００２９】
１０    マッサージ機
２０    椅子
２２    背凭れ部
２４    座部
２５    座部先端
２６    脚載置台
２７    脚載置台先端
２８    肘掛部
３２    第一施療子
３４    第二施療子
【図１】
2008142103.tif 000003
【図２】
2008142103.tif 000004
【図３】
2008142103.tif 000005
【図４】
2008142103.tif 000006